【事件の表示】
　特許第３２６２２２９号「遊技機」の請求項１に係る特許に対する特許異議の申立てについて、次のとおり決定する。
【結　論】
　訂正を認める。
　特許第３２６２２２９号の請求項１に係る特許を取り消す。
【理　由】
 １・手続の経緯
　特許第３２６２２２９号に係る発明についての特許出願は、昭和６０年６月２６日に出願された実用新案登録出願（実願昭６０−９６８２８号）の一部が、（旧）実用新案法第９条第１項の規定で準用する特許法第４４条第１項の規定により、平成４年４月２１日に新たな実用新案登録出願（実願平４−３３７８９号）とされ、この新たな実用新案登録出願が、特許法第４６条第１項の規定により、平成４年４月２１日に特許出願（特願平４−１２９４５３号）に変更され、この変更された特許出願の一部が、特許法第４４条第１項の規定により、平成８年５月７日に新たな特許出願（特願平８−１３７５０８号）とされ、この新たな特許出願の一部が、同規定により、平成１１年５月１４日に新たな特許出願（特願平１１−１３３９３８号）とされ、この新たな特許出願の一部が、同規定により、平成１１年６月１４日に新たな特許出願（特願平１１−１６６２８４号）とされ、この新たな特許出願の一部が、同規定により、平成１１年７月１４日に新たな特許出願とされたものであって、平成１３年１２月２１日にその特許権の設定登録がなされ、その後、鈴木暁子、篠原敏明よりそれぞれ特許異議の申立てがなされ、取消しの理由が通知され、その指定期間内である平成１５年２月１７日に訂正請求がなされたものである。
２・訂正の適否についての判断
（１）訂正の内容
ア・訂正事項ａ
　「入賞口に入賞した入賞球を導く球通路を備えたユニットを、遊技盤に取り付けた遊技機において、
　前記ユニットは、更に、複数の電装部品と、これら各電装部品からの接続配線を集約する基板とをユニット化した状態で備えており、前記基板を球通路と所定の空間を隔てて設置したことを特徴とする遊技機」とある特許請求の範囲の記載を、
「入賞口、駆動部材及び透光性カバーを有し遊技盤の前面側に取り付けられる入賞装置本体とは独立して、前記入賞口に入賞した入賞球を導く球通路を備えたユニットを、遊技盤の裏面に取り付けた遊技機において、
　前記ユニットは、更に、前記駆動部材を駆動させるソレノイド及び前記透光性カバーを介して点灯表示させる表示ランプを含む複数の電装部品と、これら各電装部品からの接続配線を集約する基板とをユニット化した状態で備えており、前記基板を、前記ユニットを前記入賞装置本体と相対向する領域位置から遊技盤に沿って上方へ延長した構成としてその上方延長位置に取り付けることで、球通路と所定の空間を隔てて設置したことを特徴とする遊技機」と訂正する。
イ・訂正事項ｂ
　明細書の段落【０００４】の記載について、
「・・・入賞口に入賞した入賞球を導く球通路を備えたユニットを、遊技盤に取り付けた遊技機において、前記ユニットは、更に、複数の電装部品と、これら各電装部品からの接続配線を集約する基板とをユニット化した状態で備えており、前記基板を球通路と所定の空間を隔てて設置したことを特徴とする・・・」とあるのを、
「・・・入賞口、駆動部材及び透光性カバーを有し遊技盤の前面側に取り付けられる入賞装置本体とは独立して、前記入賞口に入賞した入賞球を導く球通路を備えたユニットを、遊技盤の裏面に取り付けた遊技機において、前記ユニットは、更に、入賞口への入賞を検出する球検出スイッチ、前記駆動部材を駆動させるソレノイド及び前記透光性カバーを介して点灯表示させる表示ランプを含む複数の電装部品と、これら各電装部品からの接続配線を集約する基板とをユニット化した状態で備えており、前記基板を、前記ユニットを前記入賞装置本体と相対向する領域位置から遊技盤に沿って上方へ延長した構成としてその上方延長位置に取り付けることで、球通路と所定の空間を隔てて設置したことを特徴とする・・・」と訂正する。
ウ・訂正事項ｃ
　明細書の段落【００１２】の記載において、
「・・・組み込まれている・・・」とあるのを、
「・・・組み込まれている。図１〜３，図６，７に示すように、入賞装置後方ユニット１は入賞装置本体２１と相対向する位置から遊技盤３１に沿って上方へ延長した構成となっており、その上方延長位置に中継端子盤１０が取り付けられることで、中継端子盤１０は入賞通路２と所定の空間が隔てられている・・・」と訂正する。
（２）訂正の目的の適否、新規事項の有無及び拡張・変更の存否
　上記訂正事項ａの内「駆動部材及び透光性カバーを有し遊技盤の前面側に取り付けられる入賞装置本体」に関連する記載として、願書に添付した明細書又は図面（以下、特許明細書等という。平成１３年８月３１日付け手続補正によって補正されたもの）の発明の詳細な説明の段落【０００６】には「遊技盤３１の表面に取り付けられる入賞装置本体・・・入賞装置本体２１について説明すると、取付基板２９上には、中央と両側に合計３個の役物２２，２４が取付けられている」と、同じく段落【０００７】には「両側の役物２４は・・・開閉体２７を有し・・・開閉部材を構成している」と、同じく段落【０００８】には「取付基板２９の中央下部及び両側には・・・表示ランプ１３が配置され、該表示ランプ１３には、透光性のカバー２８が設けられている」と、それぞれ記載されていることから、「駆動部材及び透光性カバーを有し遊技盤の前面側に取り付けられる入賞装置本体」は、特許明細書等に記載されていたものと認められ、上記訂正事項ａの内「入賞装置本体とは独立して、前記入賞口に入賞した入賞球を導く球通路を備えたユニットを、遊技盤の裏面に取り付け」に関連する記載として、特許明細書等の発明の詳細な説明の段落【０００６】には「入賞装置Ａは、遊技盤３１の表面に取り付けられる入賞装置本体２１と該入賞装置本体２１の後方部に取り付けられるユニットである入賞装置後方ユニット」と、同じく段落【００１３】には「まず、入賞装置本体２１を遊技盤３１の前面から止着し、その後、遊技盤３１の後面側から入賞装置後方ユニット１の前面に形成された筒状体１４を入賞装置本体２１の裏面に形成される筒体３０内に嵌合し・・・これによって・・・入賞装置Ａ全体を遊技盤３１に組み付けることができる」と、それぞれ記載されていることから、「入賞装置本体とは独立して、前記入賞口に入賞した入賞球を導く球通路を備えたユニットを、遊技盤の裏面に取り付け」は、特許明細書等に記載されていたものと認められ、上記訂正事項ａの内「前記ユニットは、更に、前記駆動部材を駆動させるソレノイド及び前記透光性カバーを介して点灯表示させる表示ランプを含む複数の電装部品・・・備え」に関連する記載として、特許明細書等の発明の詳細な説明の段落【００１０】には「入賞装置後方ユニット１内には、前記入賞装置本体２１の両側の役物２４の開閉体２７を作動させるために駆動部品であるソレノイド６が左右に各々設けられている」と、同じく段落【００１２】には「入賞装置後方ユニット１内に設けられたマイクロスイッチ５やソレノイド６，表示ランプ１３等の電装部品」と、それぞれ記載されていることから、「前記ユニットは、更に、前記駆動部材を駆動させるソレノイド及び前記透光性カバーを介して点灯表示させる表示ランプを含む複数の電装部品・・・備え」は、特許明細書等に記載されていたものと認められ、上記訂正事項ａの内「基板を、前記ユニットを前記入賞装置本体と相対向する領域位置から遊技盤に沿って上方へ延長した構成としてその上方延長位置に取り付けることで、球通路と所定の空間を隔てて設置」に関連する記載として、特許明細書等の図面の【図１】〜【図３】、【図６】、【図７】を総合的に見ると、入賞装置後方ユニット１は入賞装置本体２１と相対向する位置から遊技盤に３１沿って上方へ延長した構成となっており、その上方延長位置に中継端子盤１０が取り付けられることで、中継端子盤１０は入賞通路２と所定の空間を隔てられていることは明らかであるものと認められるから、「基板を、前記ユニットを前記入賞装置本体と相対向する領域位置から遊技盤に沿って上方へ延長した構成としてその上方延長位置に取り付けることで、球通路と所定の空間を隔てて設置」は、特許明細書等に記載されていたものと認められる。
　そうすると、上記訂正事項ａは、特許明細書等に記載された事項の範囲内において、「入賞装置本体」が「駆動部材及び透光性カバーを有し遊技盤の前面側に取り付けられる」こと、「ユニット」が「入賞装置本体とは独立して」「遊技盤の裏面に」取り付けられること、「複数の電装部品」が「前記駆動部材を駆動させるソレノイド及び前記透光性カバーを介して点灯表示させる表示ランプを含む」こと、「基板」を、「前記ユニットを前記入賞装置本体と相対向する領域位置から遊技盤に沿って上方へ延長した構成としてその上方延長位置に」取り付けること、を限定したものであるから、特許請求の範囲の減縮に該当するものであり、新規事項の追加に該当しない。
　上記訂正事項ｂは、上記訂正事項ａと整合を図ると共に電装部品に入賞口への入賞を検出する検出スイッチが含まれることを明らかにする（特許明細書等の発明の詳細な説明の段落【０００９】には「入賞装置後方ユニット１内には、前記入賞装置本体２１の入賞口２３，２５，２６に対応するように開口３を形成した入賞通路２が各々設けられている・・・各入賞通路２の開口３の下部には、各々検出部品であるマイクロスイッチ５が設けられており・・・入賞球の検出がなされる」と記載されている）ものであるから、明りょうでない記載の釈明を目的とした明細書の訂正に該当するものであり、新規事項の追加に該当しない。
　上記訂正事項ｃは、上記訂正事項ａの内の「基板を、前記ユニットを前記入賞装置本体と相対向する領域位置から遊技盤に沿って上方へ延長した構成としてその上方延長位置に取り付けることで、球通路と所定の空間を隔てて設置」と整合を図るものであるから、明りょうでない記載の釈明を目的とした明細書の訂正に該当するものであり、新規事項の追加に該当しない。
　そして、上記何れの訂正事項も実質上特許請求の範囲を拡張し、又は変更するものでもない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３・特許異議の申立てについての判断
（１）本件発明
　上記２・示したように上記訂正が認められるから、本件発明の要旨（以下、本件発明という）は、上記訂正に係る訂正明細書及び願書に添付された図面の記載からみて、訂正明細書の特許請求の範囲に記載されたとおりのものである（上記２・（１）ア・訂正事項ａ参照）。
（２）先願明細書に記載された発明
ア・当審が通知した取消しの理由で引用した、本件出願の日前の他の実用新案登録出願（実願昭６０−５９６４５号）であって本件出願後に出願公開（実開昭６１−１７７６８３号）がされたものの願書に最初に添付した明細書又は図面（以下、先願明細書１という）には、
特に、
（ア）「パチンコ機３９は・・・遊技盤４０の前面に・・・遊技部４２を形成し・・・その中央に変動入賞装置４３・・・を設定する。上記変動入賞装置４３は・・・ゼロ戦型の装飾部４５の両翼４６，４６を開閉することにより打球の入賞状態を変換でき、装飾部４５の下方には・・・第１特定入賞口４７と・・・第２特定入賞口４８，４８を開設する。そして、遊技盤４０の裏面には・・・球集合樋３８を組付ける。この球集合樋３８は・・・略中央に上記変動入賞装置４３の後部を嵌め込むための取付口４９を開設した基板５０に・・・複数の流路５２を形成する。この流路５２は・・・第１特定入賞口４７に連通する第１流路５２ａと、第２特定入賞口４８に連通する左右の第２流路５２ｂ、５２ｂとを有し」（明細書第１４頁第３行〜第１５頁第２行）の記載から、
パチンコ機は、第１特定入賞口４７，第２特定入賞口４８、ゼロ戦型の装飾部４５の両翼４６、４６及びこの両翼４６，４６を開閉させる駆動源を有し遊技盤４０の前面側に取り付けられる変動入賞装置４３とは独立して、前記第１特定入賞口４７，第２特定入賞口４８に入賞した入賞球を導く第１流路５２ａ、第２流路５２ｂを備えた球集合樋３８を、遊技盤４０の裏面に取り付けているものと認められること、
（イ）「各流路５２ａ，５２ｂ内に通過球検出装置１・・・を・・・取付け」（明細書第１６頁第１，２行）、「変動入賞装置４３の第１特定入賞口４７に入賞した打球は遊技盤４０の裏面に導かれて第１流路５２ａを通って第２流路５２ｂに流下し・・・第１流路５２ａ内の第１通過球検出装置１ａで検出された後、第２流路５２ｂ内の第２通過球検出装置１ｂで再度検出され」（明細書第１６頁第９〜１４行）、「変動入賞装置４３の第２特定入賞口４８，４８に入賞した打球は第２流路５２ｂを流下し・・・第２流路５２ｂ内の第２通過球検出装置１ｂで検出され」（明細書第１７頁第２〜５行）、「基板５０の上部には・・・配線ターミナル５３の取付部５４を形成する」（明細書第１５頁第４〜６行）、「各流路５２ａ，５２ｂ内に通過球検出装置１・・・を・・・取付け、検出スイッチ４・・・に電気コネクタ７を接続する。そして、電気コネクタ７のリード線２５を・・・基板５０の取付部５４に取付けた配線ターミナル５３にリード線２５の他端に接続した他のコネクタ２７を接続する」（明細書第１６頁第１〜８行）及び図面第１０図の記載から、
球集合樋３８は、更に、第１通過球検出装置１ａ、第２通過球検出装置１ｂと、これら第１通過球検出装置１ａ、第２通過球検出装置１ｂからのリード線２５を集約する配線ターミナル５３とをユニット化した状態で備えているものと認められること、
（ウ）「基板５０の上部には・・・配線ターミナル５３の取付部５４を形成する」（明細書第１５頁第４〜６行）、図面第９図及び図面第１０図の記載から、
配線ターミナル５３を、球集合樋３８を変動入賞装置４３と相対向する領域位置から遊技盤４０に沿って上方へ延長した取付部５４に取り付けることで、第１流路５２ａ、第２流路５２ｂと所定の空間を隔てて設置しているものと認められること、
からみて、
「第１特定入賞口４７，第２特定入賞口４８、ゼロ戦型の装飾部４５の両翼４６、４６及びこの両翼４６，４６を開閉させる駆動源を有し遊技盤４０の前面側に取り付けられる変動入賞装置４３とは独立して、前記第１特定入賞口４７，第２特定入賞口４８に入賞した入賞球を導く第１流路５２ａ、第２流路５２ｂを備えた球集合樋３８を、遊技盤４０の裏面に取り付けたパチンコ機において、
　前記球集合樋３８は、更に、第１通過球検出装置１ａ、第２通過球検出装置１ｂと、これら第１通過球検出装置１ａ、第２通過球検出装置１ｂからのリード線２５を集約する配線ターミナル５３とをユニット化した状態で備えており、前記配線ターミナル５３を、前記球集合樋３８を前記変動入賞装置４３と相対向する領域位置から遊技盤４０に沿って上方へ延長した取付部５４に取り付けることで、第１流路５２ａ、第２流路５２ｂと所定の空間を隔てて設置したパチンコ機」を構成とする発明が記載されているものと認められる。
イ・当審が通知した取消しの理由で引用した、本件出願の日前の他の実用新案登録出願（実願昭６０−８４０２２号）であって本件出願後に出願公開（実開昭６１−２０００９１号）がされたものの願書に最初に添付した明細書又は図面（以下、先願明細書２という）には、
特に、
（ア）「入賞装置４は、入賞空間１３と・・・入賞口１４・・・と・・・入賞空間１３を開閉する翼状体１７，１７と、この翼状体１７，１７を駆動するソレノイド１８・・・と・・・装飾用のランプ２２，２２とを有し」（明細書第６頁第９行〜第７頁第３行）、「２７は集合樋であり、この集合樋２７の中央には、入賞装置４の前面形状と略同一形状でかつ若干大きめの孔２８が形成されている。入賞装置４は、この孔２８内に位置し、集合樋２７と共に遊技盤１の裏側のベニヤ板２９に取り付けられている」（明細書第９頁第１０〜１５行）及び図面第１図の記載から、
パチンコ機は、入賞口１４、翼状体１７，１７、この翼状体１７，１７を駆動するソレノイド１８及び装飾用ランプ２２，２２を有し遊技盤１の裏面に取り付けられる入賞装置４とは独立して、前記入賞口１４に入賞した入賞球を導く球通路を備えた集合樋２７を、遊技盤１の裏面に取り付けているものと認められること、
（イ）「集合樋２７には１０カウント用のスイッチ３０，３０が取り付けられている」（明細書第９頁第１５〜１７行）、「集合樋２７の一周縁部には、ベニヤ中継基板５１が取り付けられており・・・スイッチ３０のコネクタ３５・・・は、ベニヤ中継基板５１のコネクタ・・・に夫々接続されている」（明細書第１０頁第２〜１０行）及び図面第１図の記載から、
集合樋２７は、１０カウント用のスイッチ３０，３０と、これら１０カウント用のスイッチ３０、３０からの配線３５，３５を集約するベニヤ中継基板５１とをユニット化した状態で備えているものと認められること、
（ウ）「集合樋２７の一周縁部には、ベニヤ中継基板５１が取り付けられており」（明細書第１０頁第２，３行）及び図面第１図の記載から、
ベニヤ中継基板５１を、集合樋２７を入賞装置４と相対向する領域位置から遊技盤１に沿って上方へ延長した構成としてその上方延長位置に取り付けることで、球通路と所定の空間を隔てて設置しているものと認められること、
からみて、
「入賞口１４、翼状体１７，１７、この翼状体１７，１７を駆動させるソレノイド１８及び装飾用ランプ２２，２２を有し遊技盤１の裏面に取り付けられる入賞装置４とは独立して、前記入賞口１４に入賞した入賞球を導く球通路を備えた集合樋２７を、遊技盤１の裏面に取り付けたパチンコ機において、
　前記集合樋２７は、更に、１０カウント用のスイッチ３０，３０と、これら１０カウント用のスイッチ３０、３０からの配線３５，３５を集約するベニヤ中継基板５１とをユニット化した状態で備えており、前記ベニヤ中継基板５１を、前記集合樋２７を前記入賞装置４と相対向する領域位置から遊技盤１に沿って上方へ延長した構成としてその上方延長位置に取り付けることで、球通路と所定の空間を隔てて設置したパチンコ機」を構成とする発明が記載されているものと認められる。
（３）対比及び判断
ア・本件発明（前者）と先願明細書１に記載された発明（後者）とを対比すると、
後者の
「第１特定入賞口４７，第２特定入賞口４８」、「ゼロ戦型の装飾部４５の両翼４６、４６」、「開閉」、「駆動源」、「変動入賞装置４３」、「第１流路５２ａ、第２流路５２ｂ」、「球集合樋３８」、「パチンコ機」、「第１通過球検出装置１ａ、第２通過球検出装置１ｂ」、「リード線２５」、「配線ターミナル５３」及び「取付部５４」
がそれぞれの機能に照らし、それぞれ
前者の
「入賞口」、「駆動部材」、「駆動」、「ソレノイド」、「入賞装置本体」、「球通路」、「ユニット」、「遊技機」、「複数の電装部品、各電装部品」、「接続配線」、「基板」及び「構成としてその上方延長位置」
に相当するものと認められるから、
両者は、
「入賞口、駆動部材を有し遊技盤の前面側に取り付けられる入賞装置本体とは独立して、前記入賞口に入賞した入賞球を導く球通路を備えたユニットを、遊技盤の裏面に取り付けた遊技機において、
　前記ユニットは、更に、複数の電装部品と、これら各電装部品からの接続配線を集約する基板とをユニット化した状態で備えており、前記基板を、前記ユニットを前記入賞装置本体と相対向する領域位置から遊技盤に沿って上方へ延長した構成としてその上方延長位置に取り付けることで、球通路と所定の空間を隔てて設置した遊技機」である、
点において一致し、
（ア）前者においては、入賞装置本体が透光性カバーを有し、その透光性カバーを介して点灯表示させる表示ランプが電装部品としてユニットに備えられている、
のに対し、
後者においては、かかる構成が明らかではない、
（イ）駆動部材を駆動させるソレノイドが、
前者は、電装部品としてユニットに備えられている、
のに対し、
後者は、入賞装置本体に備えられている、
点において一応相違しているものと認められる。
　しかし、相違点（ア）についてみるに、
入賞装置本体が透光性カバーを有し、その透光性カバーを介して点灯表示させる表示ランプを電装部品としてユニットに備えるという構成、すなわち、相違点（ア）の前者の構成、は、遊技機において従来周知の構成（実願昭５７−１６２２８３号（実開昭５９−６８５７８号）のマイクロフィルム（「可動片６を備えたチャッカー４」が「透光性カバーを有する入賞装置本体」に、「箱枠１４を備えた取付板１」が「ユニット」に、それぞれ相当するものと認められる）、実願昭５７−１６５４６５号（実開昭５９−６９７８２号）のマイクロフィルム（「可動片７を備えたチャッカー４」が「透光性カバーを有する入賞装置本体」に、「案内箱１４を備えた取付板１」が「ユニット」に、それぞれ相当するものと認められる））であり、かつ、本件発明の目的・効果に格別な差異を生じさせるものではないから、相違点（ア）は、単なる構成の変更程度のことであり、実質的な相違ではないというべきである。
　次に、相違点（イ）についてみるに、
駆動部材を駆動させるソレノイドを、前者のように、ユニットに備える構成も、後者のように、入賞装置本体に備える構成も、何れも従来周知の構成であり（ユニットに備えるものとして特開昭５８−１７５５８２号公報（「入賞装置２０」が「入賞装置本体」に、「駆動機構３０」が「ユニット」に、それぞれ相当するものと認められる）、入賞装置本体に備えるものとして特開昭５８−１１６３７６号公報（「可変入賞球可変表示装置３０」が「入賞装置本体」に、「玉ガイド部材４６」が「ユニット」に、それぞれ相当するものと認められる））、かつ、本件発明の目的・効果に格別な差異を生じさせるものではないから、ソレノイドを、ユニット、入賞装置本体、の何れに備えるかは、単なる構成の変更程度にすぎないというべき（なお、本件特許明細書の段落【００１６】にも、「上記した実施形態においては、入賞装置Ａに設けられる電装部品がたまたま入賞装置後方ユニット１側にすべて設けられる入賞装置Ａを示したが、電装部品の一部が入賞装置本体２１側に設けられる入賞装置であっても良い」と記載されている）であり、相違点（イ）は、実質的な相違ではないというべきである。
　したがって、前者は、後者と実質的に同一である。
イ・本件発明（前者）と先願明細書２に記載された発明（後者）とを対比すると、
後者の
「翼状体１７，１７」、「装飾用ランプ２２，２２」、「入賞装置４」、「集合樋２７」、「パチンコ機」、「１０カウント用のスイッチ３０，３０」、「配線３５，３５」及び「ベニヤ中継基板５１」
がそれぞれの機能に照らし、それぞれ
前者の
「駆動部材」、「表示ランプ」、「入賞装置本体」、「ユニット」、「遊技機」、「複数の電装部品」、「接続配線」及び「基板」
に相当するものと認められるから、
両者は、
「入賞口、駆動部材を有し遊技盤に取り付けられる入賞装置本体とは独立して、前記入賞口に入賞した入賞球を導く球通路を備えたユニットを、遊技盤の裏面に取り付けた遊技機において、
　前記ユニットは、更に、複数の電装部品と、これら各電装部品からの接続配線を集約する基板とをユニット化した状態で備えており、前記基板を、前記ユニットを前記入賞装置本体と相対向する領域位置から遊技盤に沿って上方へ延長した構成としてその上方延長位置に取り付けることで、球通路と所定の空間を隔てて設置した遊技機」である、
点において一致し、
（ア）駆動部材を駆動させるソレノイドが、
前者は、電装部品としてユニットに備えられている、
のに対し、
後者は、入賞装置本体に備えられている、
（イ）前者においては、入賞装置本体が透光性カバーを有し、その透光性カバーを介して点灯表示させる表示ランプが電装部品としてユニットに備えられている、
のに対し、
後者においては、入賞装置本体が透光性カバーを有しているのか否か明らかではなく、表示ランプが入賞装置本体に備えられている、
（ウ）入賞装置本体が、
前者は、遊技盤の前面側に取り付けられている、
のに対し、
後者は、遊技盤の裏面に取り付けられている、
点において一応相違しているものと認められる。
　しかし、相違点（ア）についてみるに、
駆動部材を駆動させるソレノイドを、前者のように、ユニットに備える構成も、後者のように、入賞装置本体に備える構成も、何れも従来周知の構成であり、かつ、ソレノイドを、ユニット、入賞装置本体、の何れに備えるかが単なる構成の変更程度のことにすぎないことは、上記ア・の相違点（イ）の判断の所に記したとおりであるから、相違点（ア）は、実質的な相違ではないというべきである。
　次に、相違点（イ）についてみるに、
入賞装置本体が透光性カバーを有し、その透光性カバーを介して点灯表示させる表示ランプが電装部品としてユニットに備えるという構成、すなわち、相違点（イ）の前者の構成、が遊技機において従来周知の構成であるものと認められることは、上記ア・の相違点（ア）の判断の所に記したとおりであり、かつ、表示ランプを、ユニット、入賞装置本体、の何れに備えるかは、単なる構成の変更程度にすぎないものと認められる（なお、ア・の相違点（イ）の判断の所に記したように、本件特許明細書の段落【００１６】も、参照されたい）から、相違点（イ）は、実質的な相違ではないというべきである。
　最後に、相違点（ウ）についてみるに、
要するにこの点は、入賞装置本体の取付部として遊技盤の何処を選ぶかという相違であるものと認められるところ、取付部として遊技盤の表面側を選ぶか遊技盤の裏面を選ぶかは、必要に応じて適宜選択し得る単なる構成の変更程度のことにすぎないものと認められるから、相違点（ウ）は、実質的な相違ではないというべきである。
　したがって、前者は、後者と実質的に同一である。
（４）むすび
　したがって、本件発明は、先願明細書１及び２に記載された各発明と同一であると認められ、しかも、本件発明の発明者が上記先願明細書１及び２に記載された各発明の発明者と同一であるとも、また、この出願の時において、その出願人が上記他の各出願の出願人と同一であるとも認められないので、特許法第２９条の２の規定により特許を受けることができない。
　以上のとおりであるから、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年５月１６日（２００３．５．１６）
【訂正の要旨】
▲１▼　訂正事項ａ
　明細書において、【特許請求の範囲】の【請求項１】欄を、特許請求の範囲の減縮を目的として、
　「
入賞口，駆動部材及び透光性カバーを有し遊技盤の前面側に取り付けられる入賞装置本体とは独立して、前記
の裏面
　前記ユニットは、更に、
前記駆動部材を駆動させるソレノイド及び前記透光性カバーを介して点灯表示させる表示ランプを含む
、前記ユニットを前記入賞装置本体と相対向する領域位置から遊技盤に沿って上方へ延長した構成としてその上方延長位置に取り付けることで、
と訂正する。
▲２▼　訂正事項ｂ
　明細書において、【０００４】欄における【課題を解決するための手段】の記載を、明りょうでない記載の釈明を目的として、
　「上記した目的を達成するために、本発明においては、
入賞口，駆動部材及び透光性カバーを有し遊技盤の前面側に取り付けられる入賞装置本体とは独立して、前記
の裏面
前記駆動部材を駆動させるソレノイド及び前記透光性カバーを介して点灯表示させる表示ランプを含む
、前記ユニットを前記入賞装置本体と相対向する領域位置から遊技盤に沿って上方へ延長した構成としてその上方延長位置に取り付けることで、
と訂正する。
▲３▼　訂正事項ｃ
　明細書において、【００１２】欄の記載を、明りょうでない記載の釈明を目的として、
　「更に、図４に示すように、これら入賞装置後方ユニット１内に設けられたマイクロスイッチ５やソレノイド６、表示ランプ１３等の電装部品は、その接続線１２が同じく入賞装置後方ユニット１内に設けられた電気回路基板或いは基板としての中継端子盤１０に接続されている。即ち、中継端子盤１０と電装部品との接続配線１２は、予め入賞装置Ａを構成する入賞装置後方ユニット１内に組み込まれている。
図１〜３、図６、７に示すように、入賞装置後方ユニット１は入賞装置本体２１と相対向する位置から遊技盤３１に沿って上方へ延長した構成となっており、その上方延長位置に中継端子盤１０が取り付けられることで、中継端子盤１０は入賞通路２と所定の空間が隔てられている。
と訂正する。
（５４）【発明の名称】
遊技機
（５７）【特許請求の範囲】
　【請求項１】　
入賞口，駆動部材及び透光性カバーを有し遊技盤の前面側に取り付けられる入賞装置本体とは独立して、前記
の裏面
　前記ユニットは、更に、
前記駆動部材を駆動させるソレノイド及び前記透光性カバーを介して点灯表示させる表示ランプを含む
、前記ユニットを前記入賞装置本体と相対向する領域位置から遊技盤に沿って上方へ延長した構成としてその上方延長位置に取り付けることで、
【発明の詳細な説明】
　【０００１】
　【発明の属する技術分野】
　本発明は、複数の電装部品から延びる各配線を接続する中継端子盤（基板）を備えたパチンコ機等の遊技機に関するものである。
　【０００２】
　【従来の技術】
　近時、パチンコ機は、周知のように電子制御回路を使って遊技動作を制御するものが一般的となり、これにともなって入賞球を検出するマイクロスイッチ等の検出部品や、役物を一定時間作動させるソレノイド等の駆動部品、装飾効果を高めたり数値を表示したりするランプや表示器等の表示部品、等の電装部品を数多く備えた入賞装置が使用されるようになってきた。そして、これらの電装部品から延びる配線は、電子制御回路を組込んだ基盤と直接的に接続されるか、あるいは遊技盤の裏面に止着された中継端子盤に間接的に接続されるようになっていた。
　【０００３】
　【発明が解決しようとする課題】
　特に、中継端子盤を介して間接的に接続する場合において、各電装部品から延びる配線を中継端子盤に接続する際には、配線間違いも起きやすく、又組立作業員に高い電気知識が必要とされる等の問題があった。また、中継端子盤には電気回路があり、電気配線が集約された部位で熱やノイズ混入による影響を受けると誤動作のおそれがある。本発明は、上記した事情に鑑みなされたもので、その目的とするところは、複数の電装部品から延びる配線の配線作業が容易であると共に、外乱による誤動作を低減し得る遊技機を提供することにある。
　【０００４】
　【課題を解決するための手段】
　上記した目的を達成するために、本発明においては、
入賞口，駆動部材及び透光性カバーを有し遊技盤の前面側に取り付けられる入賞装置本体とは独立して、前記
の裏面
前記入賞口への入賞を検出する球検出スイッチ，前記駆動部材を駆動させるソレノイド及び前記透光性カバーを介して点灯表示させる表示ランプを含む
、前記ユニットを前記入賞装置本体と相対向する領域位置から遊技盤に沿って上方へ延長した構成としてその上方延長位置に取り付けることで、
　【０００５】
　球通路、複数の電装部品、基板等を含めたユニットとして、遊技盤に組み込むようにしたので、部品の組み付け作業や配線作業を遊技盤への組み込み前に行うことができ、これらの作業が容易になる。しかも、電気配線が集約される基板を球通路と所定の空間を隔てて設置した場合には、球通路を通過する球の静電気等によるノイズの影響を受け難くなり、電気回路基板の誤動作を回避することができる。
　【０００６】
　【発明の実施の形態】
　以下、本発明の一実施形態を図面について説明する。まず、図１を参照して実施形態に係る入賞装置について説明する。図１は、入賞装置の分解斜視図である。本実施形態に係る入賞装置Ａは、遊技盤３１の表面に取り付けられる入賞装置本体２１と該入賞装置本体２１の後方部に取り付けられるユニットである入賞装置後方ユニット１とから構成されている。そこで、まず、説明の便宜上、入賞装置本体２１について説明すると、取付基板２９上には、中央と両側に合計３個の役物２２、２４が取付けられている。中央の役物２２は、上部に入賞口２３を有し、ゲ−ム始動口となっている。
　【０００７】
　一方、両側の役物２４は、上下部に入賞口２５、２６を有し、下部入賞口２６には、柄杓状の開閉体２７を有し、開閉体２７の開閉によって打球が入賞しやすい状態を作り出すように構成されている。つまり、開閉体２７が左右に開くことにより両側の役物２４の左右に流れた打球が開閉体２７で受け止められ、開閉体２７が閉じているときより下部入賞口２６により入りやすい状態を作り出すようになっている。また、開閉体２７の裏側には、連結ピン１５が取付基板２９裏面に突出するように設けられている。連結ピン１５は、リンク１７を介して支軸１９に接合され、支軸１９を中心に回動するようになっている。支軸１９には、前記連結ピン１５と略直角にリンク１８を介して係合ピン１６が接合されている。係合ピン１６は、後述する入賞装置後方ユニット１に装着されたソレノイド６の駆動が伝達されるようになっている。そして、この連結ピン１５、係合ピン１６及びこれらを接合するリンク１７、１８は、左右の開閉体２７に合わせて一対設けられ、相互をバネ２０で連結され開閉部材を構成している。
　【０００８】
　取付基板２９の中央下部及び両側には、表示部品としての表示ランプ１３が配置され、該表示ランプ１３には、透光性のカバ−２８が設けられている。
　【０００９】
　一方、入賞装置Ａの後方部を構成する入賞装置後方ユニット１は、次のような構造を有している。即ち、入賞装置後方ユニット１内には、前記入賞装置本体２１の入賞口２３、２５、２６に対応するように開口３を形成した入賞通路２が各々設けられている。この入賞通路２の仕切枠４は、合成樹脂により入賞装置後方ユニット１に一体的に製作されている。各入賞通路２の開口３の下部には、各々検出部品であるマイクロスイッチ５が設けられており、通路内に臨む検出板により、入賞球の検出がなされるようになっている。
　【００１０】
　更に、入賞装置後方ユニット１内には、前記入賞装置本体２１の両側の役物２４の開閉体２７を作動させるために駆動部品であるソレノイド６が左右に各々設けられている。そして、ソレノイド６のプランジャ７には、係合部材８の両端には、係合孔９が穿設されている。この係合孔９へは、前述の開閉部材を構成する係合ピン１６が係合されるようになっている。しかして、係合ピン１６を係合孔９に係合した状態でソレノイド６を駆動させると、ソレノイド６のプランジャ７の上下動により、係合ピン１６が支軸１９を中心に回動し、これにともなって連結ピン１５が回動する。連結ピン１５は、役物２４の開閉体２７に一体に係合されているので、連結ピン１５の動きに合わせて開閉体２７が開閉するようになっている。なお、開閉体２７は、開閉部材のバネ２０により常時下方に位置するようになっている。また、バネ２０によりソレノイド６のプランジャ７は、常時下方に付勢されている。
　【００１１】
　入賞装置後方ユニット１の前面両側には、筒状体１４が突出して形成され、該筒状体１４には、表示ランプ１３が挿入されるようになっている。この筒状体１４は、入賞装置本体２１裏面に突出して形成される筒体３０の内側にちょうど嵌合するようになっている。そして、筒体３０は、入賞装置本体２１のカバ−２８に連通し、表示ランプ１３がカバ−２８内に臨むように形成されている。
　【００１２】
　更に、図４に示すように、これら入賞装置後方ユニット１内に設けられたマイクロスイッチ５やソレノイド６、表示ランプ１３等の電装部品は、その接続線１２が同じく入賞装置後方ユニット１内に設けられた電気回路基板或いは基板としての中継端子盤１０に接続されている。即ち、中継端子盤１０と電装部品との接続配線１２は、予め入賞装置Ａを構成する入賞装置後方ユニット１内に組み込まれている。
図１〜３、図６、７に示すように、入賞装置後方ユニット１は入賞装置本体２１と相対向する位置から遊技盤３１に沿って上方へ延長した構成となっており、その上方延長位置に中継端子盤１０が取り付けられることで、中継端子盤１０は入賞通路２と所定の空間が隔てられている。
　【００１３】
　以上、入賞装置Ａを構成する入賞装置本体２１と入賞装置後方ユニット１の構成について説明してきたが、本実施形態における入賞装置Ａをパチンコ機の遊技盤３１に取り付けるためには、まず、入賞装置本体２１を遊技盤３１の前面から止着し、その後、遊技盤３１の後面側から入賞装置後方ユニット１の前面に形成された筒状体１４を入賞装置本体２１の裏面に形成される筒体３０内に嵌合し、ソレノイド６のプランジャ７に装着された係合部材８の係合孔９に係合ピン１６を係合させることにより固定する。これによって、図６及び図７に示すように、入賞装置Ａ全体を遊技盤３１に組み付けることができるようになっている。
　【００１４】
　しかして、上記のようにして入賞装置Ａを遊技盤３１に取り付けた後には、各電装部品と中継端子盤１０とを接続する配線作業は、入賞装置Ａを構成する入賞装置後方ユニット１に既に組み込まれているので、入賞装置Ａを遊技盤３１に組付ける際に不要となり、配線作業が非常に楽になり、また、配線間違いを起こすこともない。
　【００１５】
　なお、本実施形態における中継端子盤１０は、図４に示すように、さらに接続線が電子制御回路を組み込んだ基盤３２に接続されるようになっている。また、中継端子盤１０を、入賞装置後方ユニット１内に設けられる電装部品だけでなく、球切れランプやその他の遊技盤３１に取り付ける電装部品の中継端子盤１０として利用してもよい。このように利用した場合において、遊技盤３１の電装部品の配線は、この中継端子盤１０ですべてチェックすることが可能となる。もちろん、中継端子盤１０には、入賞装置Ａに具備される電装部品に対応する端子１１（コネクタ）だけが少なくともあれば良い。更に、本実施形態における中継端子盤１０は、図５に示すように、各端子１１に接続すべき電装部品の部品名の表示が付されているので、配線間違いを起こすことがなく、高い電気知識を持たない人であっても、容易に配線することができる。
　【００１６】
　なお、上記した実施形態においては、入賞装置Ａを構成する入賞装置本体２１と入賞装置後方ユニット１とを別々に遊技盤３１に止着する入賞装置を示したが、これらを予め一体的に組み付け構成し、この組み付け構成した入賞装置を遊技盤に取り付けるようにしても良い。また、上記した実施形態においては、入賞装置Ａに設けられる電装部品がたまたま入賞装置後方ユニット１側にすべて設けられる入賞装置Ａを示したが、電装部品の一部が入賞装置本体２１側に設けられる入賞装置であっても良い。更に、入賞装置に含まれる複数の電装部品が同一種類の電装部品から構成されるものでも良い。
　【００１７】
　【発明の効果】
　以上、説明したところから明らかなように、本発明によれば、球通路、複数の電装部品、基板等を含めたユニットとして、遊技盤に組み込むようにしたので、部品の組み付け作業や配線作業を遊技盤への組み込み前に行うことができ、これらの作業が容易になる。また、電気配線が集約される基板を球通路と所定の空間を隔てて設置しているので、球通路を通過する球の静電気等によるノイズの影響を受け難くなり、電気回路基板の誤動作を回避することができる。
【図面の簡単な説明】
　【図１】
　入賞装置を構成する入賞装置本体と入賞装置後方ユニットとを分離した状態で示す斜視図である。
　【図２】
　入賞装置後方ユニット前面からの正面図である。
　【図３】
　入賞装置本体の裏面からの正面図である。
　【図４】
　入賞装置後方ユニットの裏面からの正面図である。
　【図５】
　図４の部分拡大図である。
　【図６】
　入賞装置を遊技盤に取り付けた状態を示す背面図である。
　【図７】
　入賞装置を遊技盤に取り付けた状態を示す断面図である。
　【符号の説明】
　Ａ　入賞装置
　１　入賞装置後方ユニット
　２　入賞通路
　５　マイクロスイッチ
　６　ソレノイド
　１０　中継端子盤
　１１　端子
　１３　表示ランプ
　２１　入賞装置本体
　３１　遊技盤